(57)【特許請求の範囲】
【請求項１】
ロール紙を用いるプリンタにおいて、
プリンタの機能を実現する構成部品を覆うケースと、
前記ケース内部の一部に、外部機器との接続をなすコネクタが収まるように配置したコネクタ収納部と、
前記コネクタ収納部の内周面の少なくとも１つの面が、前記コネクタの接続部から前記コネクタ収納部の開口部に向かって前記コネクタ収納部が広くなるように傾斜して形成された斜面部と、
を有し、
前記斜面部の、前記コネクタ収納部からみて裏側に前記ロール紙を配置したことを特徴とするプリンタ。
【請求項２】
前記コネクタ収納部の開口部が底面になるように配置したことを特徴とする請求項１に記載のプリンタ。
【請求項３】
前記ケース側面に前記コネクタ収納部から外部機器に接続するケーブルが通る切り欠き部を備えたことを特徴とする、請求項２に記載のプリンタ。
【請求項４】
プリンタを制御する基板がプリンタ本体内部の背面、且つ、垂直方向に配置したことを特徴とする、請求項３に記載のプリンタ。
【発明の詳細な説明】
【０００１】
【発明の属する技術分野】
本発明はプリンタのコネクタ接続構造に関し、特に、コンパクトな機器本体内部にコネクタを収納し、かつコネクタ挿抜作業を簡単に行うことができるコネクタ接続構造に関するものである。
【０００２】
【従来の技術】
第３図は一般的なプリンタのコネクタ接続部を示すもので、プリンタ１の機能を実現する構成部品を覆うケースは本体ケース１０及びフロントケース１１で外装され、２０はプリンタの機能を実現する構成部品を支えるフレーム、３０はプリンタを制御する基板、４０は基板３０上に配置されたコネクタ、４１は外部機器と接続するコネクタ、４２はコネクタを両端に有し、外部機器を接続するケーブル、５０は記録紙が巻回されたロール紙、５１は記録紙を搬送するローラ、５２は記録紙に印字を行うヘッド、５３は印字された記録紙を排出する紙出口である。
【０００３】
一般的なコネクタ接続部は、基板に配置されたコネクタ４０がフレーム２０で形成されるコネクタパネルから突出し、機器外部に繋がるケーブル４２についたコネクタ４１を差し込む構造である。このとき、コネクタ４１のハウジングはプリンタ本体より外側に突出する構成が一般的である。また、第４図はコネクタを外部に突出しないように、内部に収納する構造である。
【０００４】
【発明が解決しようとする課題】
第３図のように上記従来のプリンタにおいては、コネクタハウジング部がプリンタ本体より外側に突出するが、コンパクトなプリンタを実現しても、実際の占有スペースはコネクタ突出部を含めたスペースを必要とする。また、店舗等で使用される、売上品目、売上金額等の事項が印字されたレシートを発行するプリンタは売場カウンター上に設置され、プリンタ背面は顧客の正面となり、コネクタ接続部が露出していることは外観上好ましくない。不意にコネクタに触れる、もしくは子供のいたずら等による接続不良が起こることもある。このためコネクタ接続部をプリンタ本体内部に収納することが要求されている。
【０００５】
また、コネクタ接続部を機器本体内部に収納すると、サイズの大きなコネクタは奥深くのコネクタ部を持って挿抜する必要があって操作性に劣る。
【０００６】
このように、コネクタ接続部をプリンタ本体に収納するとプリンタ本体が大きくなり、コンパクトさを追求するとコネクタ挿抜の操作性が劣るというように相反する課題がある。
【０００７】
従って本発明の目的は、コネクタ挿抜が容易で、かつコンパクトなプリンタを提供することにある。
【０００８】
前記目的を達成するため、本発明のプリンタは、  ロール紙を用いるプリンタにおいて、
プリンタの機能を実現する構成部品を覆うケースと、
前記ケース内部の一部に、外部機器との接続をなすコネクタが収まるように配置したコネクタ収納部と、
前記コネクタ収納部の内周面の少なくとも１つの面が、前記コネクタの接続部から前記コネクタ収納部の開口部に向かって前記コネクタ収納部が広くなるように傾斜して形成された斜面部と、
を有し、
前記斜面部の、前記コネクタ収納部からみて裏側に前記ロール紙を配置したことを特徴とする。このためコネクタ接続部を本体内部に収納し、コネクタの挿抜を容易に行うことが可能となる。
【０００９】
また、記録紙としてロール紙を用いるプリンタでは、前記斜面部に隣接してロール紙を備えていることによって、ロール紙後方下部のスペースがコネクタの挿抜の操作スペースとなり、プリンタ本体内部にコネクタを収納しつつ、プリンタ本体をコンパクトにすることが可能となる。
【００１０】
【発明の実施の形態】
以下、本発明の一実施形態を図面に沿って説明する。図１は本発明の一実施形態に係るプリンタの構造を説明する図である。図１に示すプリンタ１は、インクジェット方式で印刷を行うものであり、本体ケース部材１０及びフロントケース部材１１で外装されている。本体ケース１０内に印字ヘッド５２や搬送ローラ５１等の印字機構とプリンタを制御する基板を内装しており、フロントケース部材１１内にインクを充填した図示しないインクカートリッジを内装している。これら印字機構や基板そしてインクカートリッジは、フレーム部材２０で支承されている。
【００１１】
また、フロントケース１１には、インクカートリッジを投入するためのインクカートリッジカバー１２が配置されている。インクカートリッジカバー１２はフロントケース１１に対して回動自在に軸支されている。ユーザーは、このインクカートリッジカバー１２を開放してインクカートリッジを交換できるようになっている。
【００１２】
本体ケース前部には、ロール紙５０を交換するためのロール紙カバー１３が配置されている。ロール紙カバー１３は本体ケース１０に対して回動自在に軸支され、紙出口５３と一緒に回動する。ユーザーは紙出口５３を操作してカバーのロックを解除し、ロール紙カバー１３を開放してロール紙５０を交換できるようになっている。
【００１３】
プリンタ１の印刷時の動作は以下のようになる。プリンタは１はホストコンピュータで作成したデータがケーブル４２を通して、制御基板３０に送られ、印字命令を受信すると、搬送ローラ５１によってプリンタ本体内部にあるロール紙５０が搬送される。キャリッジ（不図示）上に搭載された印字ヘッド５２は、先端に多数のノズルを整列配置しており、インクカートリッジによって供給されるインクをこれらのノズルから噴射することにより、用紙に印字を行う。印字された記録紙は搬送ローラ５１で搬送され、プリンタ１の前面に配置された紙出口５３から外部に排出される。
【００１４】
プリンタ１を制御する基板３０はプリンタ１本体内の背面、垂直方向に配置され、コネクタ接続部２０ａ及び２０ｂが後方下部に配置されている。コネクタ接続部２０ａ及び２０ｂを有するコネクタ収納部は、コネクタハウジングとケーブルが屈曲して収まるスペースを有している。
【００１５】
プリンタ１は記録紙としてロール紙５０を使用し、ロール紙５０をコネクタ接続部２０ａを有するコネクタ収納部の前に隣接して配置している。ロール紙５０の後方下側に沿うようにフレーム２０で斜面部２０ｃを形成している。
【００１６】
本体ケース１０の側面と背面の角部には、外部機器と繋がるケーブルが通るための切り欠き部１０ａを形成されている。
【００１７】
図２はプリンタ１におけるコネクタ接続部を示す斜視図である。コネクタ接続部２０ａ及び２０ｂには、ホストコンピュータ、電源、ディスプレイ他周辺機器と接続するように複数のコネクタ４０が配置されている。一般的にはホストコンピュータと接続するコネクタハウジングが他のコネクタハウジングに比べて大きく、この第１のコネクタ接続部分２０ａをフレーム２０で形成し、その他のコネクタが接続する部分は第２のコネクタ接続部分２０ｂをフレーム２０で形成する。コネクタ接続部分２０ａ及び２０ｂのコネクタ収納部の開口部と接続部の距離は、コネクタを接続し、コネクタハウジングと屈曲するケーブルがプリンタ本体に収納できる位置関係となっている。
【００１８】
以上の如く、コネクタのハウジングが収まるように配置したコネクタ収納部と、コネクタ収納部の内周面の少なくとも１つの面がコネクタの接続部から前記コネクタ収納部の開口部に向かって、収納部が広くなる斜面部を備えている。
【００１９】
このため、コネクタ接続部をプリンタ本体内部に収納することが可能となり、プリンタの投影面積が実際の占有スペースとして実現できる。また、店舗等で使用される、売上品目、売上金額等の事項が印字されたレシートを発行するプリンタは売場カウンター上に設置され、プリンタ背面は顧客の正面となる。この場合もコネクタ接続部が収納されており、コネクタ接続部が露出することもない。これにより、不意にコネクタに触れる、もしくは子供のいたずら等による接続不良を防ぐことが可能となる。
【００２０】
記録紙としてロール紙を用いるプリンタでは、前記斜面部に隣接してロール紙を備えていることによって、ロール紙後方下部のスペースがコネクタの挿抜の操作スペースとなり、プリンタ本体内部にコネクタを収納しつつ、容易にコネクタを挿抜することが可能となる。
【００２１】
以上のような構成により、コネクタ接続部をプリンタ本体に収納しながらプリンタ本体をコンパクトに実現でき、容易にコネクタが挿抜可能となる。
【００２２】
以上、本発明の一実施形態を図面に沿って説明したが、本発明は上記実施形態において示された事項に限定されず、特許請求の範囲及び発明の詳細な説明の記載、並びに周知の技術に基づいて、当業者がその変更・応用を行うことができる範囲が含まれる。
【００２３】
例えば上述した実施形態では、第１のコネクタ収納部にのみ斜面部を配置したが、第２のコネクタ収納部まで斜面部を配置する構成としても良い。またコネクタ収納部の開口部が底面になるように配置したが、コネクタ収納部の開口部が背面になるように配置しても良い。
【００２４】
【発明の効果】
以上の如く本発明によれば、コネクタ接続部をプリンタ本体内部に収納することが可能となり、占有スペースの減少が可能となる。またプリンタ背面からコネクタ接続部が露出することもなく、外力による接続不良を防ぐことが可能となる。
【００２５】
コネクタ収納部に斜面を備えることによって、コネクタの挿抜の操作スペースとなり、容易にコネクタを挿抜することが可能となる。
【００２６】
以上のように、コネクタ接続部をプリンタ本体に収納しながらプリンタ本体をコンパクトに実現でき、容易にコネクタが挿抜可能となる。
【図面の簡単な説明】
【図１】本発明の一実施形態に係るプリンタの概略構成図である。
【図２】コネクタ接続部の外観斜視図である。
【図３】従来のコネクタ接続構造を示す概略構成図である。
【図４】従来のコネクタ接続構造を示す概略構成図である。
【符号の説明】
１  プリンタ
１０    本体ケース
１０ａ  本体ケース切り欠き部
１１    フロントケース
１２    インクカートリッジカバー
１３    ロール紙カバー
２０    フレーム
２０ａ  第１のコネクタ接続部
２０ｂ  第２のコネクタ接続部
２０ｃ  斜面部
３０    基板
４０    コネクタ
４１    ネクタハウジング
４２    ケーブル
５０    ロール紙
５１    搬送ローラ
５２    印字ヘッド
５３    紙出口
【図１】
0004595161.tif 000002
【図２】
0004595161.tif 000003
【図３】
0004595161.tif 000004
【図４】
0004595161.tif 000005